(57)【要約】【課題】  シリンダー錠全体を交換することなく、安価に、しかも、容易な変更作業で、専用キーを変更することのできるシリンダー錠を得る。【解決手段】  外筒１５に内設された内筒１９と、内筒１９の外周面に形成されたバー収容溝４１と、バー収容溝４１から突出配置され内筒１９の回転を阻止するロッキングバー４３と、内筒１９に設けられバー進入凹部５３を一致させてロッキングバー４３をバー収容溝４１に後退可能にするタンブラ２３とを備えており、タンブラ２３が、第１タンブラ２３Ａと第２タンブラ２３Ｂとからなり、これらタンブラ２３Ａ，２３Ｂは、連結手段５５ａ〜５５ｃ，５７によって異なる位置で連結可能になるとともに、連結が、変更キー６９の挿入・回転により移動するロッキングバー４３に従動する第１タンブラ２３Ａによって解除可能となり、かつセット回転角度範囲で挿入された任意の専用キーに応じた位置で選択的に連結される。【選択図】      図２
2006348657.tif 000002
【特許請求の範囲】
【請求項１】
外筒と、該外筒に内設され一端面に専用キー、マスターキー又は変更キーの挿入されるキー孔を有するとともに他端面に錠機構に接続するテールピースを有した内筒と、該内筒の外周面に軸線方向に形成されたバー収容溝と、前記外周面から突出可能に該バー収容溝に収容され前記外周面から突出配置されることで前記外筒の内周に形成されたロック溝に進入して前記外筒に対する前記内筒の回転を阻止するロッキングバーと、該ロッキングバーと前記キー孔との間の前記内筒に軸線方向で複数設けられ前記キー孔に挿入されたキーのキー溝にキー突起を進入させることで前記内筒の軸線直交方向にスライドされバー進入凹部を前記ロッキングバーに一致させて該ロッキングバーを前記バー収容溝に後退可能にするタンブラとを備えたシリンダー錠であって、
前記内筒を前記専用キー及び前記マスターキーの施解錠操作回転範囲から超えた所定のセット回転角度範囲で回転可能とする前記変更キーを備え、
前記ロッキングバーが、前記内筒の該所定のセット回転角度範囲で前記軸線方向に移動可能となり、
前記タンブラが、前記ロッキングバーの没入を許容する前記バー進入凹部を有した第１タンブラと、同じく前記ロッキングバーの没入を許容する前記バー進入凹部、キー溝に進入する前記キー突起を有した第２タンブラとからなり、
前記第１タンブラと前記第２タンブラとは、連結手段によって前記スライド方向の異なる複数の位置で選択的に連結可能になるとともに、該連結が前記ロッキングバーの移動に従動する前記第１タンブラの前記軸線方向の移動によって解除可能となり、かつ前記所定のセット回転角度範囲で挿入され前記施解錠操作回転範囲まで逆回転された任意の専用キーに応じた異なる位置で選択的に連結されることを特徴とするシリンダー錠。
【請求項２】
前記第１タンブラは、前記軸線方向の移動による前記第２タンブラとの連結解除時に、前記スライド方向の移動軌跡上に配置されるリセットバーに対して、前記スライド方向の一方に付勢する付勢手段によって当接し、前記ロッキングバーの没入を許容する位置で位置保持されることを特徴とする請求項１記載のシリンダー錠。
【請求項３】
前記ロッキングバーが前記内筒の軸線を挟んで一対設けられ、
それぞれの該ロッキングバーが前記所定のセット回転角度範囲で前記軸線方向の互いに逆方向に移動されることを特徴とする請求項１又は２記載のシリンダー錠。
【請求項４】
前記ロッキングバーには前記第１タンブラを前記スライド方向に摺動自在にガイドするガイド溝が形成され、
前記連結手段による連結が、該ガイド溝に係合して前記ロッキングバーと一体となった前記第１タンブラの前記軸線方向の移動によって解除されることを特徴とする請求項１又は２又は３記載のシリンダー錠。
【請求項５】
前記内筒の前記所定のセット回転角度範囲への移行が、前記専用キー及び前記マスターキーより長尺の前記変更キーを挿入することで、前記テールピースと前記内筒との係合を解除して可能になったことを特徴とする請求項１，２，３，４のいずれか１つに記載のシリンダー錠。
【発明の詳細な説明】
【技術分野】
【０００１】
本発明は、タンブラの組合せを変更して使用キー（専用キー、マスターキー）の鍵変更を可能とするシリンダー錠に関する。
【背景技術】
【０００２】
賃貸マンションやアパート等に用いられるシリンダー錠には、タンブラ式のものがあり、このタンブラ式シリンダー錠には、さらにピンタンブラ式のものがある。ピンタンブラ式のシリンダー錠は、外筒と、この外筒に回動自在な内筒とを有し、外筒と内筒とには、両者に亘ってピン挿入孔が穿設されている。このピン挿入孔には、外筒側ピン挿入孔にドライバピン、内筒側ピン挿入孔にはタンブラピンが収容され、合鍵が内筒のキー孔に挿入されることで、合鍵のキー溝に一致した位置にタンブラピンが配置され、その結果、タンブラピンとドライバピンとの境が、内筒外周と外筒内周との境界、すなわち、シアーラインに一致することで、内筒が外筒に対して回動可能となり、施解錠可能状態となる。一方、合鍵でないキーが挿入されれば、タンブラピンが正規の位置に配置されないため、シアーラインにはドライバピン、或いはタンブラピンが横断することとなり、これにより、内筒の回転が阻止される。
【発明の開示】
【発明が解決しようとする課題】
【０００３】
ところで、賃貸マンションやアパートにおいては、入居者が交替する場合があり、旧入居者が合鍵の複製を所有している場合には、新入居者の防犯上から旧入居者の鍵を使用不能とすることが望ましい。
しかしながら、上記したピンタンブラ式のシリンダー錠において、別の専用キーのみの使用を可能とするには、別構成のピンタンブラとドライバピンとを組み込まなければならず、容易に変更を行うことはできなかった。また、入居者の交替の都度、シリンダー錠を交換すれば、多大な費用を負担しなければならない問題が発生した。
【０００４】
本発明は上記状況に鑑みてなされたもので、シリンダー錠全体を交換することなく、安価に、しかも、容易な変更作業で、専用キーを変更することのできるシリンダー錠を提供することにある。
【課題を解決するための手段】
【０００５】
次に、上記の課題を解決するための手段を、実施の形態に対応する図面を参照して説明する。
本発明の請求項１記載のシリンダー錠１００は、外筒１５と、該外筒１５に内設され一端面に専用キー２１，７１、マスターキー又は変更キー６９の挿入されるキー孔１７を有するとともに他端面に錠機構に接続するテールピース７３を有した内筒１９と、該内筒１９の外周面に軸線方向に形成されたバー収容溝４１と、前記外周面から突出可能に該バー収容溝４１に収容され前記外周面から突出配置されることで前記外筒１５の内周に形成されたロック溝４９に進入して前記外筒１５に対する前記内筒１９の回転を阻止するロッキングバー４３と、該ロッキングバー４３と前記キー孔１７との間の前記内筒に軸線方向で複数設けられ前記キー孔１７に挿入されたキーのキー溝にキー突起５９を進入させることで前記内筒１９の軸線直交方向にスライドされバー進入凹部５３Ａ、５３Ｂを前記ロッキングバー４３に一致させて該ロッキングバー４３を前記バー収容溝４１に後退可能にするタンブラ２３とを備えたシリンダー錠１００であって、
前記内筒１９を前記専用キー２１，７１及び前記マスターキーの施解錠操作回転範囲から超えた所定のセット回転角度範囲で回転可能とする前記変更キー６９を備え、
前記ロッキングバー４３が、前記内筒１９の該所定のセット回転角度範囲で前記軸線方向に移動可能となり、
前記タンブラ２３が、前記ロッキングバー４３の没入を許容する前記バー進入凹部５３Ａを有した第１タンブラ２３Ａと、同じく前記ロッキングバー４３の没入を許容する前記バー進入凹部５３Ｂ、キー溝に進入する前記キー突起５９を有した第２タンブラ２３Ｂとからなり、
前記第１タンブラ２３Ａと前記第２タンブラ２３Ｂとは、連結手段５５ａ，５５ｂ，５５ｃ，５７によって前記スライド方向の異なる複数の位置で選択的に連結可能になるとともに、該連結が前記ロッキングバー４３の移動に従動する前記第１タンブラ２３Ａの前記軸線方向の移動によって解除可能となり、かつ前記所定のセット回転角度範囲で挿入され前記施解錠操作回転範囲まで逆回転された任意の専用キー２１，７１に応じた異なる位置で選択的に連結されることを特徴とする。
【０００６】
このシリンダー錠１００では、第１のキー２１の使用状態において第１タンブラー２３Ａと第２タンブラ２３Ｂとが所定の相対位置に連結されており、第１のキー２１を挿入した際に、キー突起５９により、バー進入凹部５３Ａ，５３Ｂがロッキングバー４３の後退を許容可能な位置に配置される。つまり、第１のキー２１を挿入することにより、タンブラ２３のバー進入凹部５３Ａ，５３Ｂにロッキングバー４３が進入し、これによりロッキングバー４３が外筒１５のロック溝４９から後退することで、内筒１９が回動可能となる。このシリンダー錠１００を第２のキー７１の専用とするには、変更キー６９が挿入される。変更キー６９が挿入され、内筒１９が所定のセット回転角度範囲まで回転されると、ロッキングバー４３が軸線方向に移動され、これに伴い第１タンブラ２３Ａも移動される。第１タンブラ２３Ａの移動により、連結手段５５ａ，５５ｂ，５５ｃ，５７による連結が解除され、第２タンブラ２３Ｂが第１タンブラ２３Ａに対し、軸線直行方向にスライド可能な状態となる。この状態で変更キー６９を抜去し、第２のキー７１が挿入されると、第２タンブラ２３Ｂのキー突起５９が第２のキー７１のキー溝７１ａに合った位置に移動される。この状態で内筒１９を所定のセット回転角度範囲から施解錠操作回転範囲まで逆回転させると、ロッキングバー４３が再び軸線方向に移動し、元の位置に戻る。ロッキングバー４３が元の位置に戻ることにより、連結手段５５ａ，５５ｂ，５５ｃ，５７により第１タンブラ２３Ａと第２タンブラ２３Ｂとが再び連結状態となる。つまり、第２タンブラ２３Ｂは、第２のキー７１に一致した位置で位置変更されたこととなる。これにより第２のキー７１を引き抜いた後であっても、以降、第１のキー２１が使用不能となり、第２のキー７１が専用キーとして使用可能となる。
【０００７】
請求項２記載のシリンダー錠１００は、前記第１タンブラ２３Ａは、前記軸線方向の移動による前記第２タンブラ２３Ｂとの連結解除時に、前記スライド方向の移動軌跡上に配置されるリセットバー６３に対して、前記スライド方向の一方に付勢する付勢手段５２によって当接し、前記ロッキングバー４３の没入を許容する位置で位置保持されることを特徴とする。
【０００８】
このシリンダー錠１００では、第１タンブラ２３Ａが付勢手段５２により前記スライド方向の一方へ常に付勢されており、この第１タンブラ２３Ａに対して連結解除された第２タンブラ２３Ｂは前記スライド方向でフリー状態となる。そして、第１タンブラ２３Ａは、前記付勢手段５２とともにリセットバー６３により位置保持され、かつその位置がロッキングバー４３の没入を許容する位置となり、すなわち第１，第２タンブラ２３Ａ，２３Ｂを異なる位置で連結させる際の基準の位置となる。そして、その後に第１，第２タンブラ２３Ａ，２３Ｂが互いに連結されることとなる。
【０００９】
請求項３記載のシリンダー錠１００は、前記ロッキングバー４３が前記内筒１９の軸線を挟んで一対設けられ、
それぞれの該ロッキングバー４３，４３が前記所定のセット回転角度範囲で前記軸線方向の互いに逆方向に移動されることを特徴とする。
【００１０】
このシリンダー錠１００では、タンブラ２３，２３が軸線を挟んで並列に配置されることで、本来、軸線方向に直列に配置される複数のタンブラ２３が連結解除方向を変えることなく並列配置可能となる。これにより、同数のタンブラ２３が軸線方向に半分の長さで組み込み可能となる。
【００１１】
請求項４記載のシリンダー錠１００は、前記ロッキングバー４３には前記第１タンブラ２３Ａを前記スライド方向に摺動自在にガイドするガイド溝４７ｂが形成され、
前記連結手段５５ａ，５５ｂ，５５ｃ，５７による連結が、該ガイド溝４７ｂに係合して前記ロッキングバー４３と一体となった前記第１タンブラ２３Ａの前記軸線方向の移動によって解除されることを特徴とする。
【００１２】
このシリンダー錠１００では、ロッキングバー４３にガイド溝４７ｂが形成され、このガイド溝４７ｂに第１タンブラ２３Ａが係入していることで、ロッキングバー４３が軸線方向に移動した場合に、ガイド溝４７ｂを介して第１タンブラ２３Ａもロッキングバー４３と一体となって軸線方向に移動（従動）することとなる。この第１タンブラ２３Ａの移動によって、連結手段５５ａ，５５ｂ，５５ｃ，５７による連結が解除され、第２タンブラ２３Ｂがフリー状態となる。
【００１３】
請求項５記載のシリンダー錠１００は、前記内筒１９の前記所定のセット回転角度範囲への移行が、前記専用キー２１，７１及び前記マスターキーより長尺の前記変更キー６９を挿入することで、前記テールピース７３と前記内筒１９との係合を解除して可能になったことを特徴とする。
【００１４】
このシリンダー錠１００では、変更キー６９が、専用キー２１，７１及びマスターキーより長尺で形成され、この変更キー６９が挿入されることによりのみ内筒１９のセット回転角度範囲への移行が可能となる。そして、内筒１９がセット回転角度範囲へ回転されることで、テールピース７３と内筒１９との係合が解除され、テールピース７３と内筒１９とが相対回転可能となる。
【発明の効果】
【００１５】
本発明に係る請求項１記載のシリンダー錠によれば、変更キーを挿入し、内筒を所定のセット回転角度範囲に回転することで、第１タンブラと第２タンブラとの連結を解除し、その状態で、変更キーを抜去後、任意の専用キーを挿入して、施解錠操作回転範囲まで逆回転することにより、第１タンブラと第２タンブラとを、任意の専用キーに応じた異なる組合せ配置へ変更して連結することができる。これにより、第１のキーを第２のキーへと変更することができるようになる。この結果、シリンダー錠を交換せずに、多大な費用を費やすことなく、鍵変更を可能にすることができる。また、錠変更は、新たに使用したいキーをキー孔へ挿入するのみで可能となるので、変更作業を極めて容易に行うことができる。このことから、賃貸マンションなどにおいて、入居者が交替した場合に、旧入居者の使用していたキー（合鍵）を使用不能とすることが可能となる。
これに加え、第１のキー（元のキー）を使用せずに、変更キーと第２のキー（新たなキー）によって、第２のキーの使用可能状態へ変更できるので、第１のキーを紛失した場合であっても、変更を可能にすることができる。
また、同様に、各専用のキーの各シリンダー錠に対して共通して使用可能となるマスターキーの変更も可能となり、例えば、複数有るシリンダー錠に共通させてグループとした管理態勢に、新たなマスターキーでのグループ管理を行え、すなわち、管理者の交替にも対応可能となる。
【００１６】
請求項２記載のシリンダー錠によれば、第１タンブラが、付勢手段とともにリセットバーにより位置保持され、かつその位置がロッキングバーの没入を許容する位置となることで、第１，第２タンブラを異なる位置で連結させる際の基準の位置を得ることが可能となる。
【００１７】
請求項３記載のシリンダー錠によれば、ロッキングバーが内筒の軸線を挟んで一対設けられ、それぞれのロッキングバーがセット回転角度範囲で軸線方向の逆方向へ移動されるので、本来、軸線方向に直列に配置される複数のタンブラを、連結解除方向を変えることなく、軸線を挟んで並列に配置することができる。これにより、同数のタンブラを軸線方向に半分の長さで組み込むことができ、軸線方向の長さを増大させずに、カギ違い数を増やすことができる。
【００１８】
請求項４記載のシリンダー錠によれば、ロッキングバーにガイド溝を形成し、このガイド溝を介してロッキングバーに第１タンブラを軸線方向に一体移動可能に保持させたので、ロッキングバーを利用して第１タンブラを保持することができ、ロッキングバーが第１タンブラの保持部材を兼ねることになって、他部材を用いずに少ない部品点数でタンブラ同士の連結解除機構を構成することができる。
【００１９】
請求項５記載のシリンダー錠によれば、セット回転角度範囲への移行が、専用キー及びマスターキーより長尺の変更キーを挿入し、テールピースと内筒との係合を解除することで可能となるので、テールピースと内筒とが一体回転する係合状態と、テールピースと内筒とが相対回転可能となる係合解除状態を選択的に切り換える係脱機構を簡単な構造で容易に構成することができる。また、変更キーが長尺となるので、他の通常使用キー（専用キー、マスターキー）との区別を容易にすることができ、キー管理を行いやすくすることができる。
【発明を実施するための最良の形態】
【００２０】
以下、本発明に係るの好適な実施の形態を図面を参照して詳細に説明する。
図１は本発明に係るシリンダー錠の外観斜視図、図２は図１に示したシリンダー錠のキー挿入方向に直交する方向の断面図、図３は図２の分解図、図４は図１に示したシリンダー錠の軸線を含む面で切断した断面図、図５は図４の分解図、図６はリセットバー位置の断面図、図７は図６の分解図である。
本実施の形態に係るシリンダー錠１００は、図１に示すように、不図示の扉の屋外面に取り付けられ、化粧リング１１により前端面を除く錠本体１３の外周が覆われる。錠本体１３は、扉或いは錠箱に固定される外筒１５と、前端面にキー孔１７を有し、この外筒１５に対し回動自在に内設される内筒１９とに大別して構成される。
【００２１】
内筒１９のキー孔１７には例えば賃貸住宅の最初の入居者の第１のキーである第１専用キー２１が挿入され、シリンダー錠１００はこの第１専用キー２１によって内筒１９が外筒１５に対して回動自在、すなわち、施解錠可能となっている。本実施の形態によるシリンダー錠１００は、第１専用キー２１による使用可能状態から、後述の変更キーを用いることによって、新たな別のキー（例えば後述の第２のキー）の使用可能状態へ内部機構が容易に変更可能となることを特徴としている。
【００２２】
図２、図３に示すように、内筒１９にはキー孔１７を挟み左右にスライドタンブラ２３、２３が設けられる。また、キー孔１７の図２に示す上方にはピンタンブラ２５が設けられている。これらスライドタンブラ２３，２３，ピンタンブラ２５は、キー孔１７の挿入方向に複数組、本実施の形態ではピンタンブラ２５及び、スライドタンブラ２３，２３が６組配設されている。なお、説明の都合上、スライドタンブラ２３，２３はそれぞれが略同一構成であるためそのうちの１つを例に説明する。
【００２３】
ピンタンブラ２５は、内筒側ピン収容孔２７に収容されるタンブラピン２９と、外筒側ピン収容孔３１に収容されるドライバピン３３とからなり、外筒側ピン収容孔３１を塞ぐ蓋３５とドライバピン３３との間にはコイルバネ３７が配設され、これによりドライバピン３３はピンタンブラ２５側へ付勢されている。ピンタンブラ２５の先端はキー孔１７へ突出され、キー孔１７に挿入された第１専用キー２１によってピンタンブラ２５の配置が決まり、これによってピンタンブラ２５とドライバピン３３との境が、内筒１９外周と外筒１５内周との間であるシアーライン３９に一致するようになっている。したがって、異なる専用キーが挿入されれば、ピンタンブラ２５或いはドライバピン３３がシアーライン３９を横断することとなり、内筒１９の回動が不能となる。
【００２４】
本実施の形態によるシリンダー錠１００では、複数のタンブラ２３に加え、複数のピンタンブラ２５が設けられることで、カギ違い数が増やせ、防犯性がより高められるようになっている。
【００２５】
内筒１９の外周には軸線方向に延在する一対のバー収容溝４１，４１が軸線を対称に形成され、バー収容溝４１にはロッキングバー４３が収容される。このロッキングバー４３は、後に詳述するように複数のタンブラ２３との相対位置関係によってロック状態又は非ロック状態となる。ロッキングバー４３は、先端が尖頭部４５となり、後端がタンブラ係合板部４７となる。ロッキングバー４３は、尖頭部４５がバー収容溝４１から突出することで、外筒１５の内周に軸線方向で形成されたロック溝４９に係合するようになっている。内筒１９は、ロッキングバー４３の尖頭部４５がロック溝４９に進入することで、回動が阻止される。また、ロッキングバー４３は、尖頭部４５がバー収容溝４１内へ後退することで、外筒１５とのロックが解除される。これにより、内筒１９は、回動自在となる。なお、本実施の形態のロッキングバー４３の係合板部４７は、図４，図５に示すように、係合凸部４７ａとガイド溝４７ｂとを備えた略櫛歯状に形成されている。
【００２６】
ロッキングバー４３が、バー収容溝４１内に没入した状態で、タンブラ係合板部４７は、内筒１９の内部に形成されたタンブラ収容空間５１に突出するようになっている。このタンブラ収容空間５１にはタンブラ２３が収容され、タンブラ２３は内筒１９の軸線直交方向（図２の上下方向）にスライド自在に収容される。図３に示すように、タンブラ２３は、第１タンブラ２３Ａと、第２タンブラ２３Ｂとからなる。
【００２７】
第１タンブラ２３Ａには、半径方向外側の辺部に、凹凸からなるバー進入凹部５３Ａが形成される。また、第２タンブラ２３Ｂの半径方向外側の辺部には、バー進入凹部５３Ａとは異なる形状のバー進入凹部５３Ｂが形成されている。第１タンブラ２３Ａには同一の内径の複数の位置決め孔５５ａ，５５ｂ，５５ｃがタンブラスライド方向（図２の上下方向）に穿設されている。第２タンブラ２３Ｂには、第１タンブラ２３Ａのそれぞれの位置決め孔５５ａ，５５ｂ，５５ｃのいずれかに嵌入可能となる位置決めピン５７が突設されている。これら、位置決め孔５５ａ，５５ｂ，５５ｃと位置決めピン５７とは、連結手段を構成している。また、第２タンブラ２３Ｂにはバー進入凹部５３Ｂと逆側の半径方向外側の辺部に、キー孔１７内に突出するキー突起５９が設けられる。このキー突起５９は、キー孔１７に挿入されるキーのキー溝、例えば図１に示すような第１専用キー２１のキー溝２１ａに、図１０（ａ）に示すように進入する。
【００２８】
第１タンブラ２３Ａと第２タンブラ２３Ｂとは、位置決めピン５７がいずれかの位置決め孔５５ａ，５５ｂ，５５ｃに嵌入することで相対移動不能な連結状態となり、この状態で、図２に示すように、バー進入凹部５３Ａ、バー進入凹部５３Ｂをロッキングバー４３のタンブラ係合板部４７側へ向ける一方、キー突起５９をキー孔１７へ突出させる。
【００２９】
図４に示すように、ロッキングバー４３のタンブラ係合板部４７には、係合凸部４７ａと軸線方向交互に、第１タンブラ２３Ａを軸線直交方向（図４の紙面垂直方向）にスライド自在にガイドする上記のガイド溝４７ｂが形成されている。また、第２タンブラ２３Ｂは、タンブラ収容空間５１内に設けられた付勢手段としてのタンブラ付勢バネ５２により、図２の下方向へと付勢されている。
【００３０】
一方、外筒１５の先端と、外筒１５の後端側内部には高低差を有するカム面６０ａ，６０ｂを対面させた一対のカム円板６０Ａ，６０Ｂが固定されている。ロッキングバー４３、４３は、長手方向両端がこのカム円板６０Ａ，６０Ｂのカム面６０ａ，６０ｂに摺接する。図４に示すように、カム面６０ａ，６０ｂは、高低が逆となるように対面配置されている。ロッキングバー４３，４３は、内筒１９に、軸線方向で移動可能に保持されている。ロッキングバー４３は、外筒１５に嵌合された規制片１３ａに、溝４３ａを係合して軸線方向に移動可能となる。これに対し、内筒１９は、両端がカム円板６０Ａ、テールピース７３に当接することで、軸線方向の移動が規制されている。したがって、ロッキングバー４３，４３は、内筒１９が回転されることで、それぞれの両端がカム円板６０Ａ，６０Ｂに摺接して、軸線方向に互いに逆方向に移動されるようになっている。つまり、図４の上側のロッキングバー４３が右方へ移動すれば、軸線を挟む下側のロッキングバー４３は左方へ移動する。
【００３１】
ここで、ロッキングバー４３，４３は、本実施の形態では、内筒（或いはキー）１９が９０°〜１８０°の回転角度範囲にあるときに移動が可能となる。本明細書中、このロッキングバー４３，４３が移動される回転角度範囲を、「セット回転角度範囲」と称する。これに対し、０°から９０°までの回転角度範囲は、「施解錠操作回転範囲」と称する。
【００３２】
本実施の形態では、シリンダー錠１００に対して、上記の第１専用キー２１の他、後述の第２専用キー７１、変更キー６９が使用される。これら、第１専用キー２１、第２専用キー７１、変更キー６９は、それぞれ使用が可能となる回転角度範囲が定められている。すなわち、第１専用キー２１及び第２専用キー７１は、施解錠操作回転範囲で順方向（例えば時計回り方向）及び逆方向（反時計回り方向）で回転可能となるとともに、セット回転角度範囲では逆方向で回転可能となる。一方、変更キー６９は、施解錠操作回転範囲からセット回転角度範囲までを順方向で回転可能となる。なお、後に詳述するが、本実施のシリンダー錠１００では、第１専用キー２１から第２専用キー７１へ変更を行う場合、先ず、変更キー６９を用いて施解錠操作回転範囲からセット回転角度範囲（０°〜１８０°）まで回転を行い、１８０°の回転位置で変更キー６９を抜いた後、当該位置で第２専用キー７１を挿入し、セット回転角度範囲から施解錠操作回転範囲（１８０°〜０°）まで逆回転を行う。これにより、第１専用キー２１から第２専用キー７１への変更が行えるようになっている。
【００３３】
内筒１９とテールピース７３との間にはコア軸６４が設けられ、コア軸６４は内筒１９とテールピース７３とに亘って軸線方向に移動自在となっている。コア軸６４は、内筒１９とテールピース７３とに亘って位置することで、内筒１９とテールピース７３とを相対回転不能に連結する。一方、コア軸６４は、テールピース７３の収容凹部７３ａ内に収容されることで、内筒１９とテールピース７３との連結を解除する。これにより、内筒１９は、テールピース７３に対して空転可能となる。コア軸６４は、付勢バネ６５によって、通常時、内筒１９とテールピース７３とを連結する位置に配置される。
【００３４】
テールピース７３は、図示しない錠機構に連結されることで、施解錠操作回転範囲（０°〜９０°）でのみ回転が可能となっている。したがって、内筒１９は、コア軸６４が内筒１９とテールピース７３とを連結している状態では、施解錠操作回転範囲でのみ回転される。ここで、後述する変更キー６９は、他の第１専用キー２１、第２専用キー７１よりも長尺で形成される。これにより、変更キー６９がキー孔１７に挿入されると、先端がコア軸６４を収容凹部７３ａへ押し込め、内筒１９とテールピース７３との連結を解除するようになっている。つまり、変更キー６９が挿入されると、錠機構によって回転が規制されたテールピース７３との連結が解除され、内筒１９はセット回転角度範囲（９０°〜１８０°）へ回転が可能となる。なお、コア軸６４は、セット回転角度範囲において、及びこのセット回転角度範囲から施解錠操作回転範囲に戻る際には、図示しない係合溝等を介して軸線方向の移動が規制され、内筒１９とテールピース７３とを連結解除状態に維持する。
【００３５】
内筒１９とそれぞれのロッキングバー４３，４３との間には、一対の付勢手段であるコイルバネ６２，６２が配設され、コイルバネ６２，６２はロッキングバー４３，４３を内筒１９の半径方向外側へ付勢している。
【００３６】
ここで、図４に示すように、第１タンブラ２３Ａは、ガイド溝４７ｂと係合しているため、例えば軸線を挟む下側のロッキングバー４３が左方向へ移動すると、ロッキングバー４３と一体となって左方向へ移動される。その結果、移動しない第２タンブラ２３Ｂの位置決めピン５７から、位置決め孔５５ｃ（図５参照）が抜けるようになっている。すなわち、位置決め孔５５ａ，５５ｂ，５５ｃから位置決めピン５７が抜けた状態では、第１タンブラ２３Ａと第２タンブラ２３Ｂとは連結が解除された状態となる。
【００３７】
また、図２に示すように、内筒１９には、それぞれのロッキングバー４３，４３の下方に、リセットバー６３，６３が固設されている。リセットバー６３は、図６，図７に示すように、軸線方向に複数の凹部６３ａと凸部６３ｂとが連続した櫛歯状に形成されている。リセットバー６３，６３は、凸部６３ｂが第１のタンブラ２３Ａの移動軌跡内に位置し、この凸部６３ｂに当接することで、第１タンブラ２３Ａの軸線直交方向のスライドを位置規制する。
【００３８】
本実施の形態によるシリンダー錠１００は、第１専用キー２１での施解錠可能状態から、他の専用キー（第２専用キー、第３専用キー、・・・）での施解錠可能状態への変更切換を可能としている。また、これらの専用キー使用可能状態において、施解錠が可能となるマスターキーを備えるものであるが、このマスターキーも他のマスターキーへと変更が可能となっている。すなわち、第１専用キー、第２専用キー、第３専用キーに対して施解錠が可能となる第１マスターキーは、マスターキー変更されることにより、施解錠不能となり、第１専用キー、第２専用キー、第３専用キーは、変更された後の新たな第２マスターキーによって施解錠可能となる。
【００３９】
次に、このように構成されるシリンダー錠の専用キー変更の動作手順を説明する。
図８は回転範囲の動作説明図、図９は第１専用キーにタンブラが配置された正面視を（ａ）、（ａ）のＩ−Ｉ断面視を（ｂ）、II−II断面視を（ｃ）に表した動作説明図、図１０は第１専用キーが挿入された正面視を（ａ）、Ｉ−Ｉ断面視を（ｂ）に表した動作説明図である。
この動作手順では、当初第１専用キー２１が使用可能状態であったシリンダー錠１００を、変更キー６９を用いることによって、第２専用キー７１が使用可能状態となる変更動作について説明する。なお、シリンダー錠１００は、変更キー６９を用いることで、第１専用キー２１への変更、この他の第３専用キー、・・・への変更が可能となるものである。
【００４０】
ここで、キー変更に当たって差し替えされるそれぞれのキーを図８に基づいて概略説明すれば、第１専用キー２１が使用可能となった状態において、先ず、図８の白丸１で変更キー６９が挿入され、変更キー６９は白丸２〜白丸３、白丸４まで回転された後、白丸５で抜かれる。この状態から白丸６で第２専用キー７１が挿入され、第２専用キー７１は白丸７〜白丸８へと回転され、白丸９で回転完了となって抜かれることとなる。
【００４１】
以下に、キー変更の動作手順をさらに説明する。
図９に示すように、第１専用キー２１で施解錠操作が行える状態、すなわち第１専用キー２１での運用状態において、シリンダー錠１００は、例えば図９（ａ）に示すように、左方の第１タンブラ２３Ａと第２タンブラ２３Ｂとが、位置決めピン５７と位置決め孔５５ｃとを嵌合して連結されている。なお、図９（ｂ），（ｃ）に示すように、この状態では、テールピース７３は内筒１９と連結状態である。
【００４２】
図１０に示すように、キー孔１７に第１専用キー２１が挿入されると、第２タンブラ２３Ｂのキー突起５９が第１専用キー２１のキー溝２１ａに進入し、タンブラ２３が図１０（ａ）の上方向へ移動することにより、タンブラ２３のバー進入凹部５３Ａ、バー進入凹部５３Ｂが、ロッキングバー４３のタンブラ係合板部４７に一致する。すなわち、第１専用キー２１による施解錠操作が可能となっている。なお、図１０（ｂ）に示すように、この状態においては、キー２１先端がコア軸６４に届かず、テールピース７３は内筒１９と連結状態である。
【００４３】
図１１は変更キーが挿入された正面視を（ａ）、（ａ）のＩ−Ｉ断面視を（ｂ）、II−II断面視を（ｃ）に表した動作説明図、図１２は変更キーが４５°回転された正面視を（ａ）、（ａ）のＩ−Ｉ断面視を（ｂ）に表した動作説明図、図１３は変更キーが略１３５°回転された正面視を（ａ）、（ａ）のＩ−Ｉ断面視を（ｂ）、リセットバー位置の断面視を（ｃ）に表した動作説明図、図１４は変更キーが１８０°回転された状態の動作説明図である。
図８の白丸１の状態で、変更キー６９がキー孔１７に挿入されると、図１１に示すように、第２タンブラ２３Ｂのキー突起５９が変更キー６９のキー溝６９ａに進入し、タンブラ２３が図１１（ａ）の上方向へ移動することにより、タンブラ２３のバー進入凹部５３Ａ、バー進入凹部５３Ｂが、ロッキングバー４３のタンブラ係合板部４７に一致する。これにより、ロッキングバー４３の尖頭部４５がロック溝４９から外れ、ロッキングバー４３がバー収容溝４１内に没入して（図１２（ｂ）参照）、内筒１９が図８の白丸２，図１２に示すように時計回りに回転可能となる。
【００４４】
同時に、図１１（ｂ）（ｃ）に示すように、変更キー６９の先端によってコア軸６４がテールピース７３の収容凹部７３ａへ押し込められ、内筒１９とテールピース７３との連結が解除される。これにより、内筒１９は、変更キー６９によって施解錠操作回転範囲を超えるセット回転角度範囲へと回転が可能となる。
【００４５】
図８の白丸３，図１３に示すように、変更キー６９が略１３５°の位置まで回転されると、一対のロッキングバー４３は、カム円板６０Ａ，６０Ｂのカム面６０ａ，６０ｂに両端が摺接することで、互いに軸線方向の逆方向へ移動する（図１３（ｂ）参照）。
【００４６】
この状態で、第２タンブラ２３Ｂは、第１タンブラ２３Ａがロッキングバー４３と共に移動することで、位置決めピン５７が外れ、第１タンブラ２３Ａとの連結が解除される。このとき、図１３（ｃ）に示すように、第１タンブラ２３Ａの移動軌跡上にリセットバー６３の凸部６３ｂが位置することとなる。
【００４７】
変更キー６９が図８の白丸４，図１４に示す位置（１８０°）まで回転完了すると、再びロッキングバー４３が反対側のロック溝４９に進入し、内筒１９が外筒１５に対してロック状態となる。この状態で、第１タンブラ２３Ａは、タンブラ付勢バネ５２によって図１４の上方向へ付勢され、リセットバー６３に当接して止まる。一方、第２タンブラ２３Ｂは、変更キー６９のキー溝６９ａに係合したキー突起５９を介してスライドが規制される。
【００４８】
図１５は変更キーが抜かれた状態の正面視を（ａ）、（ａ）のＩ−Ｉ断面視を（ｂ）に表した動作説明図である。
図８の白丸５で変更キー６９が抜かれると、第２タンブラ２３Ｂは、キー突起５９と変更キー６９との係合が解除され、フリーとなり、本実施の形態では、自重によって図１５（ａ）の下方へ下がる。一方、第１タンブラ２３Ａは、タンブラ付勢バネ５２によって図１５の上方向へ付勢され、リセットバー６３に当接して位置保持されたままとなる。この位置保持された第１タンブラ２３Ａは、そのバー進入凹部５３Ａが位置決めされることとなり、このバー進入凹部５３Ａにはロッキングバー４３が没入可能な位置となって設定される。すなわち、第１タンブラ２３Ａは、タンブラ付勢バネ５２とともにリセットバー６３により位置保持され、かつその位置がロッキングバー４３の没入を許容する位置となり、すなわち第１，第２タンブラ２３Ａ，２３Ｂを異なる位置で連結させる際の基準の位置、別言すると、この後の動作で第１タンブラ２３Ａへロッキングバー４３が没入可能な位置を仮固定し、その第１タンブラ２３Ａに対する第２タンブラの相対連結位置の基準位置となる。また、変更キー６９が抜かれることで、キー孔１７にはピンタンブラ２５が突出する。なお、図１５（ｂ）に示すように、コア軸６４は内筒１９と連結状態とならずに、すなわち内筒１９とテールピース７３とは相対回転可能な状態である。
【００４９】
図１６は第２専用キーが挿入された状態の動作説明図である。
変更キー６９が抜かれたなら、次に、図８の白丸６で、変更したい新たなキーとして第２のキーである第２専用キー７１が挿入される。第２専用キー７１が挿入されると、第２専用キー７１のキー溝７１ａに沿ってキー突起５９を介して第２タンブラ２３Ｂがスライドされる。この際、第２タンブラ２３Ｂは、第１専用キー２１のときとは異なる位置に配置される。つまり、第２タンブラ２３Ｂの位置決めピン５７が、異なる位置決め孔（例えば位置決め孔５５ａ）へ一致する。
【００５０】
図１７は第２専用キーが略１５０°回転位置の状態の動作説明図である。
この状態で第２専用キー７１が反時計回りに回転されると、ロッキングバー４３の尖頭部４５がロック溝４９から外れ、内筒１９の回転が可能となる。
【００５１】
図１８は第２専用キーが略１３５°回転位置の状態の動作説明図、図１９は第２専用キーの回転途中を表す動作説明図、図２０は第２専用キーの回転が完了した状態の動作説明図である。
図８の白丸７〜白丸８へ第２専用キー７１が回転されると、ロッキングバー４３，４３の両端がカム円板６０Ａ，６０Ｂのカム面６０ａ，６０ｂに摺接することで、ロッキングバー４３，４３は、図１３（ｂ）に示した位置から図１１（ｂ）に示した元の位置へと戻る。その結果、図１８，図１９に示すように、第１タンブラ２３Ａがロッキングバー４３と共に移動し、第１タンブラ２３Ａの位置決め孔５５ａが、第２タンブラ２３Ｂの位置決めピン５７に嵌入することとなる。そして、第２専用キー７１が図８の白丸９の位置まで回転されることで、第１タンブラ２３Ａと第２タンブラ２３Ｂとの組合せ位置の変更が完了する（図２０参照）。なお、この際、コア軸６４は、付勢バネ６５の付勢力によって再び内筒１９とテールピース７３との間に亘って配置され、内筒１９とテールピース７３とを相対回転不能に連結することとなる。
【００５２】
図２１は第２専用キーが抜かれた状態の動作説明図である。
この状態で、第２専用キー７１が抜かれることで、第２専用キー７１と第２タンブラ２３Ｂとの係合が外れ、第１タンブラ２３Ａと第２タンブラ２３Ｂとがタンブラ付勢バネ５２によってスライドされ、キー変更が完了する。キー変更の後、第１専用キー２１がキー孔１７へ挿入されても、タンブラ２３のバー進入凹部５３Ａ，５３Ｂがタンブラ係合板部４７と一致しないため、ロッキングバー４３がバー収容溝４１内へ後退できない。その結果、ロッキングバー４３が、外筒１５のロック溝４９から外れず、内筒１９の回動が規制される。つまり、シリンダー錠１００は、第２専用キー７１による施解錠可能状態となる。
【００５３】
図２２は第１タンブラと第２タンブラとの相対位置関係（組合せパターン）を分解して表したタンブラ説明図である。
なお、本実施の形態では、第１タンブラ２３Ａと第２タンブラ２３Ｂとは、図２２（ａ）（ｂ）（ｃ）に示す３箇所の異なる位置で連結可能となる。これら、それぞれの異なる位置で連結されることで、タンブラ２３は、図中左辺部のバー進入凹部５３Ａ，５３Ｂがそれぞれ異なる形状となる。つまり、タンブラ係合板部４７が挿入可能なバー進入凹部５３Ａ、５３Ｂが変更される。これにより、異なるキー溝２１ａ，７１ａ等を有する複数の第１専用キー２１、第２専用キー７１第３専用キー・・・への変更を可能としている。
【００５４】
また、第１タンブラ２３Ａと第２タンブラ２３Ｂとが異なる３箇所に配置されても、タンブラ２３の図中左辺部には、共通してタンブラ係合板部４７の進入可能なバー進入凹部５３Ａ、５３Ｂが形成されることとなる。したがって、当該位置におけるキー突起５９の進入可能なキー溝をマスターキーに設ければ、このマスターキーは、第２タンブラ２３Ｂの異なる３箇所の配置のいずれの位置においてもタンブラ係合板部４７を受け入れ可能、すなわち、施解錠可能にすることができる。
【００５５】
したがって、上記のシリンダー錠１００によれば、変更キー６９を挿入し、内筒１９を所定のセット回転角度範囲に回転することで、第１タンブラ２３Ａと第２タンブラ２３Ｂとの連結を解除し、その状態で、変更キー６９を抜去し、任意の専用キー（例えば第２専用キー７１）を挿入して、施解錠操作回転範囲まで逆回転することにより、第１タンブラ２３Ａと第２タンブラ２３Ｂとを、任意の専用キーに応じた異なる組合せ配置へ変更して連結することができる。これにより、第１のキーを第２のキーへと変更することができるようになる。この結果、シリンダー錠１００を交換せずに、多大な費用を費やすことなく、鍵変更を可能にすることができる。また、錠変更は、新たに使用したいキーをキー孔１７へ挿入するのみで可能となるので、変更作業を極めて容易に行うことができる。このことから、賃貸マンションなどにおいて、入居者が交替した場合に、旧入居者の使用していたキー（合鍵）を使用不能とすることが可能となる。
【００５６】
これに加え、第１のキー（元のキー）を使用せずに、変更キー６９と第２のキー（新たなキー）によって、第２のキーの使用可能状態へ変更できるので、第１のキーを紛失した場合や、第１のキーを意図的に使用不能したい場合、或いは盗難にあった場合であっても、変更を可能にすることができる。
【００５７】
また、同様に、各専用のキーの各シリンダー錠に対して共通して使用可能となるマスターキーの変更も可能となり、例えば、複数有るシリンダー錠１００に共通させてグループとした管理態勢に、新たなマスターキーでのグループ管理を行え、すなわち、管理者の交替にも対応可能となる。
【００５８】
また、このシリンダー錠１００によれば、ロッキングバー４３が内筒１９の軸線を挟んで一対設けられ、それぞれのロッキングバー４３，４３がセット回転角度範囲で軸線方向の互いに逆方向へ移動されるので、本来、軸線方向に直列に配置される複数のタンブラ２３を、連結解除方向を変えることなく、軸線を挟んで並列に配置することができる。これにより、同数のタンブラ２３を軸線方向に半分の長さで組み込むことができ、軸線方向の長さを増大させずに、カギ違い数を増やすことができる。
【００５９】
さらに、このシリンダー錠１００によれば、ロッキングバー４３にガイド溝４７ｂを形成し、このガイド溝４７ｂを介してロッキングバー４３に第１タンブラ２３Ａを軸線方向に一体移動可能に保持させたので、ロッキングバー４３を利用して第１タンブラ２３Ａを保持することができ、ロッキングバー４３が第１タンブラ２３Ａの保持部材を兼ねることになって、他部材を用いずに少ない部品点数でタンブラ２３Ａ，２３Ｂ同士の連結解除機構を構成することができる。
【００６０】
そして、このシリンダー錠１００によれば、セット回転角度範囲への移行が、専用キー及びマスターキーより長尺の変更キー６９を挿入し、テールピース７３と内筒１９との係合を解除することで可能となるので、テールピース７３と内筒１９とが一体回転する係合状態と、テールピース７３と内筒１９とが相対回転可能となる係合解除状態を選択的に切り換える係脱機構を簡単な構造で容易に構成することができる。また、変更キー６９が長尺となるので、他の通常使用キー（専用キー、マスターキー）との区別を容易にすることができ、キー管理を行いやすくすることができる。
【００６１】
なお、上述した実施の形態では、セット回転角度範囲を９０°から１８０°の回転角度範囲として示したが、この角度範囲に限定されるものではなく、これよりも少ない回転角度範囲内としてもよく、その場合には、キー変更時のキーの回転を少ない範囲とすることができ、操作性が向上することとなる。
【図面の簡単な説明】
【００６２】
【図１】本発明に係るシリンダー錠の外観斜視図である。
【図２】図１に示したシリンダー錠のキー挿入方向に直交する方向の断面図である。
【図３】図２の分解図である。
【図４】図１に示したシリンダー錠の軸線を含む面で切断した断面図である。
【図５】図４の分解図である。
【図６】リセットバー位置の断面図である。
【図７】図６の分解図である。
【図８】回転範囲の動作説明図である。
【図９】第１専用キーにタンブラが配置された正面視を（ａ）、（ａ）のＩ−Ｉ断面視を（ｂ）、II−II断面視を（ｃ）に表した動作説明図である。
【図１０】第１専用キーが挿入された正面視を（ａ）、Ｉ−Ｉ断面視を（ｂ）に表した動作説明図である。
【図１１】変更キーが挿入された正面視を（ａ）、（ａ）のＩ−Ｉ断面視を（ｂ）、II−II断面視を（ｃ）に表した動作説明図である。
【図１２】変更キーが４５°回転された正面視を（ａ）、（ａ）のＩ−Ｉ断面視を（ｂ）に表した動作説明図である。
【図１３】変更キーが略１３５°回転された正面視を（ａ）、（ａ）のＩ−Ｉ断面視を（ｂ）、リセットバー位置の断面視を（ｃ）に表した動作説明図である。
【図１４】変更キーが１８０°回転された状態の動作説明図である。
【図１５】変更キーが抜かれた状態の正面視を（ａ）、（ａ）のＩ−Ｉ断面視を（ｂ）に表した動作説明図である。
【図１６】第２専用キーが挿入された状態の動作説明図である。
【図１７】第２専用キーが略１５０°回転位置の状態の動作説明図である。
【図１８】第２専用キーが略１３５°回転位置の状態の動作説明図である。
【図１９】第２専用キーの回転途中を表す動作説明図である。
【図２０】第２専用キーの回転が完了した状態の動作説明図である。
【図２１】第２専用キーが抜かれた状態の動作説明図である。
【図２２】第１タンブラと第２タンブラとの相対位置関係（組合せパターン）を分解して表したタンブラ説明図である。
【符号の説明】
【００６３】
１５…外筒
１７…キー孔
１９…内筒
２１…第１専用キー（第１のキー）
２１ａ，７１ａ，７５ａ…キー溝
２３…タンブラ
２３Ａ…第１タンブラ
２３Ｂ…第２タンブラ
４１…バー収容溝
４３…ロッキングバー
４７ｂ…ガイド溝
４９…ロック溝
５１…タンブラ収容空間
５２…付勢手段（タンブラ付勢バネ）
５３Ａ，５３Ｂ…バー進入凹部
５５ａ，５５ｂ，５５ｃ…連結手段（位置決め孔）
５７…連結手段（位置決めピン）
５９…キー突起
６３…リセットバー
６９…変更キー
７１…第２専用キー（第２のキー）
７３…テールピース
１００…シリンダー錠外筒
【図１】
2006348657.tif 000003
【図２】
2006348657.tif 000004
【図３】
2006348657.tif 000005
【図４】
2006348657.tif 000006
【図５】
2006348657.tif 000007
【図６】
2006348657.tif 000008
【図７】
2006348657.tif 000009
【図８】
2006348657.tif 000010
【図９】
2006348657.tif 000011
【図１０】
2006348657.tif 000012
【図１１】
2006348657.tif 000013
【図１２】
2006348657.tif 000014
【図１３】
2006348657.tif 000015
【図１４】
2006348657.tif 000016
【図１５】
2006348657.tif 000017
【図１６】
2006348657.tif 000018
【図１７】
2006348657.tif 000019
【図１８】
2006348657.tif 000020
【図１９】
2006348657.tif 000021
【図２０】
2006348657.tif 000022
【図２１】
2006348657.tif 000023
【図２２】
2006348657.tif 000024